(57)【要約】【課題】  ラックマウント型の機器を狭い組み付けスペースであっても組み込むことができるキャビネットの機器マウント構造を提供する。【解決手段】  左右に立設した２本の支柱１と、支柱１の間に水平に掛け渡した上下一対のレール部材２とを有し、一対のレール部材２の間にはラックマウント型機器Ｍを縦に配置可能な空間を設けて、レール部材２を使用してラックマウント型機器Ｍの組み付けを可能とした。支柱１には、レール部材２を取り付ける凹部１１が一定間隔で複数設けられており、レール部材２を上下に移動して取り付け可能とし、ラックマウント型機器Ｍの組み付け位置を上下に移動可能とした。【選択図】  図２
2020077713.tif 000002
【特許請求の範囲】
【請求項１】
左右に立設した２本の支柱と、
当該支柱の間に水平に掛け渡した上下一対のレール部材とを有し、
前記一対のレール部材の間には、ラックマウント型機器を縦に配置可能な空間を有して、前記レール部材を使用してラックマウント型機器の組み付けを可能とし、
前記支柱には、前記レール部材を取り付ける取付部が一定間隔で複数設けられており、前記レール部材を上下に移動して取り付け可能とし、
前記ラックマウント型機器の組み付け位置を上下に移動可能としたことを特徴とするキャビネットの機器マウント構造。
【請求項２】
前記支柱の前記取付部は、前記レール部材の端部が挿入される凹部を有することを特徴とする請求項１記載のキャビネットの機器マウント構造。
【請求項３】
前記レール部材は、前記ラックマウント型機器を取り付けるマウントレール部と、前記マウントレール部の左右端部から後方に延設された腕部とを有し、
前記腕部が前記支柱に連結されることを特徴とする請求項１又は２記載のキャビネットの機器マウント構造。
【発明の詳細な説明】
【技術分野】
【０００１】
本発明は、ラックマウント型の機器を組み付け可能なキャビネットの機器マウント構造に関する。
【背景技術】
【０００２】
物品を収容する大型のキャビネットにおいて、外部と通信する機能を備えたキャビネットがある。このようなキャビネットは、前面に各種操作を行う操作部が配置され、その背部となるキャビネット内に通信装置や制御装置等の機器が組み込まれている。
例えば、外部と通信する機能を備えて複数の物品を収容できる宅配ロッカーでは、荷物の収容／取り出し情報を外部に通知する機能が内蔵され、キャビネットの前面には、施錠／解錠操作するための操作部が設けられている（例えば、特許文献１参照）。
このようなキャビネットでは、物品を収容するスペースと通信装置等の機器が収容されるスペースは分離されているが、物品収容スペースはできるだけ広くしたいため、機器が収容されるスペースは最小限の広さしかない。
【先行技術文献】
【特許文献】
【０００３】
【特許文献１】特開２０１５−２３１８０１号公報
【発明の概要】
【発明が解決しようとする課題】
【０００４】
制御機器や電源機器は、ラックマウント型のものが容易に組み込みできるため普及しているが、ラックマウント型の機器を収容するには機器収容部に一定の幅の空間を確保する必要がある。しかしながら、上述したような物品を収容するキャビネットの場合、制御装置等を収容するスペースは限られているため、ラックマウント型の機器を収容するのは難しく、モジュールに分解して組み込むことで少ない収容スペースに対応した。そのため、機器の組み込み作業が面倒であった。
【０００５】
そこで、本発明はこのような問題点に鑑み、ラックマウント型の機器を狭い組み込みスペースであっても容易に組み込むことができるキャビネットの機器マウント構造を提供することを目的としている。
【課題を解決するための手段】
【０００６】
上記課題を解決する為に、請求項１の発明に係るキャビネットの機器マウント構造は、左右に立設した２本の支柱と、当該支柱の間に水平に掛け渡した上下一対のレール部材とを有し、一対のレール部材の間には、ラックマウント型機器を縦に配置可能な空間を有して、レール部材を使用してラックマウント型機器の組み付けを可能とし、支柱には、レール部材を取り付ける取付部が一定間隔で複数設けられており、レール部材を上下に移動して取り付け可能とし、ラックマウント型機器の組み付け位置を上下に移動可能としたことを特徴とする。
この構成によれば、ラックマウント型機器を縦にして組み付けできるため、収容スペースの幅が僅かであってもラックマウント型機器の組付けが可能であるし、組み付け位置を上下方向に移動できるため、組み込みやすい高さに配置でき、収容部の空間を有効利用できる。
【０００７】
請求項２の発明は、請求項１に記載の構成において、支柱の取付部は、レール部材の端部が挿入される凹部を有することを特徴とする。
この構成によれば、ラックマウント型機器が組み付けられるレール部材は、支柱に形成された凹部に挿入されて取り付けられるため、堅牢に取り付けできる。
【０００８】
請求項３の発明は、請求項１又は２に記載の構成において、レール部材は、ラックマウント型機器を取り付けるマウントレール部と、マウントレール部の左右端部から後方に延設された腕部とを有し、腕部が支柱に連結されることを特徴とする。
この構成によれば、腕部を設けることで、支柱がキャビネットの奥に立設されていても、マウントレール部を前方に配置でき、機器を組み付け易い。
【発明の効果】
【０００９】
本発明によれば、ラックマウント型機器を縦にして組み付けできるため、収容スペースの幅が僅かであってもラックマウント型機器の組付けが可能であるし、上下方向に移動できるため、組み込みやすい高さに配置でき、収容部の空間を有効利用できる。
【図面の簡単な説明】
【００１０】
【図１】本発明に係るキャビネットの機器マウント構造の一例を示し、支柱にレール部材を組み付けた平面説明図である。
【図２】図１の正面説明図である。
【図３】図１の側面説明図である。
【図４】レール部材を示し、（ａ）は正面図、（ｂ）は平面図、（ｃ）は背面図、（ｄ）は右側面図である。
【図５】図１の機器マウント構造を備えたキャビネットの正面説明図である。
【図６】図５のキャビネットの側面説明図である。
【図７】図５のキャビネットの平面説明図である。
【図８】Ａ部拡大図である。
【図９】Ｂ部拡大図である。
【図１０】Ｃ部拡大図である。
【発明を実施するための形態】
【００１１】
以下、本発明を具体化した実施の形態を、図面を参照して詳細に説明する。図１〜３は本発明に係るキャビネットの機器マウント構造の一例を示し、図１は平面説明図、図２は正面説明図、図３は右側面説明図である。各図において、１は支柱、２はレール部材である。支柱１は、キャビネット内において左右に並行に起立配設されており、その間にレール部材２が水平に掛け渡されている。レール部材２は、コ字状を成して中央の直線部がラックマウント型機器が組み付けられるマウントレール部２１となっている。
【００１２】
支柱１は、図１に示す様に前面１ａ、側面１ｂ、背面１ｃを有して断面略コ字状を成し、開放面を互いに外側に向けて配置されている。そして、前面１ａから側面１ｂにかけて切り欠いて形成した凹部１１が設けられている。凹部１１は上下方向に一定間隔で複数形成され、レール部材２の取付部を形成している。
【００１３】
但し、凹部１１を形成する切り欠きは、前面１ａと側面１ｂの２面に形成しているが背面１ｃは設けず、前方から挿入したレール部材２が背面１ｃに当接して位置決めされるよう構成されている。背面１ｃのレール部材２の当接部位には、レール部材２をねじ止めするための透孔１２が設けられている。
そして、この凹部１１を上下に一定間隔で複数形成することで、レール部材２を高さを変えて任意の位置に取り付け可能としている。
【００１４】
尚、所定の間隔で一対のレール部材２を支柱１に取り付けることで、規格化された寸法のラックマウント型機器をレール部材２の間に収容して組み付け可能となっており、図２に示すＭは組み付けられたラックマウント型機器を示している。
【００１５】
図４はレール部材２を示し、（ａ）は正面図、（ｂ）は平面図、（ｃ）は背面図、（ｄ）は右側面図である。レール部材２は、機器が組み付けられるマウントレール部２１と、その左右端部から後方に延設された腕部２２とを有して形成され、コ字状に形成されている。腕部２２の後端部が支柱１との連結部となっている。そして、腕部２２の背部には、支柱１の背面１ｃに連結するためのねじ孔２３ａを備えた固定片２３が折り曲げ形成されている。
【００１６】
また、マウントレール部２１には、ラックマウント型機器Ｍを組み付けるためのねじ孔２１ａが一定間隔で複数設けられ、複数のラックマウント型機器Ｍを隣接して組み付け可能としている。このように形成されたレール部材２が、対向するように上下に配置され、その間にラックマウント型機器Ｍの組み付け部が形成される。
【００１７】
尚、レール部材２は、重量のある機器の組付けを可能とするために、マウントレール部２１の一方の辺に後方に直角に折り曲げて形成した補強片２１ｂを有し、腕部２２も同様に一方の辺に内側に直角に折り曲げて形成した補強片２２ａを有している。
【００１８】
図５〜７は、上記機器マウント構造を備えたキャビネット３を示し、図５は正面説明図、図６は右側面説明図、図７は平面説明図である。何れも内部構造を透視した状態を示している。但し、図７の平面図では屋根板３３、及び機器収容部３２内の機器を省略してある。
キャビネット３は、物品収容部３１、通信機器や制御機器を収容する機器収容部３２に加えて屋根板３３を有し、屋外に設置可能な構成となっている。このキャビネット３は、例えば屋外設置用の宅配ロッカーとして使用される。
【００１９】
物品収容部３１及び機器収容部３２は、それぞれ独立した密閉可能な箱体として形成され、箱体同士が連結されて１つのキャビネット３を形成している。物品収容部３１は、前面に観音開きする扉３１ａが設けられ、扉３１ａに設けたハンドル３１ｂの操作で開閉可能となっている。また、内部には複数の棚３１ｃが設けられている。
【００２０】
機器収容部３２は、内部に通信機器や制御機器等の機器４（４ａ，４ｂ）が組み付けられ、前面３２ａに機器を操作する操作部５（図８に示す）が設けられている。
【００２１】
この機器収容部３２に上記機器マウント構造が形成されている。図８−１０はこの機器マウント構造形成部の拡大図であり、図８はＡ部拡大図、図９はＢ部拡大図、図１０はＣ部拡大図である。
各図に示す様に、機器収容部３２には、４隅に支柱１が配置され、そのうち後方に配置された左右２本の支柱１の間にレール部材２が上下に一対取り付けられている。４（４ａ，４ｂ）はレール部材２を介して機器収容部３２に組み付けられた機器であり、４ａがラックマウント型機器Ｍであり、４ｂはラックマウント型の基台に機器を組み付けた状態を示している。
【００２２】
このように、支柱１間に配設したレール部材２を使用してラックマウント型機器Ｍを縦にして組み付けできるため、収容スペースの幅が僅かであってもラックマウント型機器Ｍの組付けが可能であるし、レール部材２は上下に移動できるため、機器を組み込みやすい高さに配置でき、収容部の空間を有効利用できる。
また、ラックマウント型機器Ｍが組み付けられるレール部材２は、支柱１に形成された凹部１１に挿入されて取り付けられるため、堅牢に取り付けできる。
更に、レール部材２に腕部２２を設けることで、支柱１がキャビネット３の奥に立設されていても、マウントレール部２１を前方に配置でき、機器を組み付け易い。
【００２３】
尚、上記実施形態では、後方の支柱１に対してレール部材２が取り付けられているが、前方の支柱１に取り付けても良い。前方の支柱１にレール部材２を取り付ける場合は、腕部２２を設けず、マウントレール部２１の端部を直接支柱１に連結しても良い。
また、対を成すレール部材２を支柱１に複数組取り付ければ、ラックマウント型機器Ｍを縦に複数配置できる。
【符号の説明】
【００２４】
１・・支柱、２・・レール部材、３・・キャビネット、４・・機器、２１・・マウントレール部、２２・・腕部、１１・・凹部（取付部）、３１・・物品収容部、３２・・機器収容部、Ｍ・・ラックマウント型機器。
【図１】
2020077713.tif 000003
【図２】
2020077713.tif 000004
【図３】
2020077713.tif 000005
【図４】
2020077713.tif 000006
【図５】
2020077713.tif 000007
【図６】
2020077713.tif 000008
【図７】
2020077713.tif 000009
【図８】
2020077713.tif 000010
【図９】
2020077713.tif 000011
【図１０】
2020077713.tif 000012